(57)【要約】【課題】コスト高となる端末機能付き調光用電子安定器の台数を減少させることができる照明制御システムを提供する。【解決手段】制御対象である調光可能の調光用電子安定器を特定するアドレス情報およびその制御すべき調光レベルを示す調光情報を含む制御信号を送信する中央制御装置２と、この中央制御装置から受信した制御信号のアドレス情報が自己のアドレスと一致したときに、自己の調光用電子安定器を調光レベルに制御すると共に、自己に調光信号線８ａ〜８ｎを介して接続された調光用電子安定器に調光レベルに対応する調光信号を送信する端末機能付き調光用電子安定器４ａ〜４ｎと、この端末機能付き調光用電子安定器から送信される調光信号を受信して照明負荷１１ａ〜１１ｎ，１２ａ〜１２ｎを調光する調光用電子安定器６ａ〜６ｎ，９ａ〜９ｎ，１０ａ〜１０ｎと、を具備している。【選択図】  図１
2006269080.tif 000002
【特許請求の範囲】
【請求項１】
制御対象である調光可能の調光用電子安定器を特定するアドレス情報およびその制御すべき調光レベルを示す調光情報を含む制御信号を送信する中央制御装置と、
この中央制御装置から受信した制御信号のアドレス情報が自己のアドレスと一致したときに、自己の調光用電子安定器を前記調光レベルに制御すると共に、自己に調光信号線を介して接続された調光用電子安定器に前記調光レベルに対応する調光信号を送信する端末機能付き調光用電子安定器と、
この端末機能付き調光用電子安定器から送信される調光信号を受信して照明負荷を調光する調光用電子安定器と、
を具備していることを特徴とする照明制御システム。
【請求項２】
前記端末機能付き調光用電子安定器は、自己と他の少なくとも２つの調光用電子安定器のアドレスをそれぞれ記憶しており、前記中央制御装置から受信した制御信号のアドレス情報が自己または他の少なくとも一方の調光用電子安定器のアドレスと一致したときに、その一致したアドレスの調光用電子安定器に各調光レベルに対応する調光信号を与えて調光する手段、
を具備していることを特徴とする請求項１記載の照明制御システム。
【請求項３】
調光可能のインバータ部と、
制御信号を受信し、この制御信号のアドレス情報と一致するアドレスを有する自己の電子安定器を前記調光レベルに制御する一方、前記インバータ部を前記調光レベルに制御する調光信号を送信する制御部と、
この調光信号を他の調光用電子安定器に送信する調光信号送信端部と、
を具備し、
前記インバータ部、制御部および調光信号送信端部を同一筐体内に配設していることを特徴とする端末機能付き調光用電子安定器。
【発明の詳細な説明】
【技術分野】
【０００１】
本発明は、端末機能を備えた端末機能付き調光用電子安定器を具備した照明制御システムに関する。
【背景技術】
【０００２】
従来、多数の照明負荷を設けたビル等では、照明負荷の点消灯制御や調光制御を主操作盤等の中央制御装置により集中的に制御する照明制御システムが採用されている。
【０００３】
この種の従来の照明制御システムの一例としては、端末器と調光用電子安定器とを一体に形成してなる端末機能付き電子安定器を具備したシステムが知られている（例えば特許文献１参照）。この端末機能付き調光用電子安定器は、調光用電子安定器等の調光制御対象を特定するためのアドレス情報とその調光制御すべき調光レベルを示す調光情報を含む制御信号を主操作盤から受信する機能と、その制御信号のアドレス情報とアドレスが一致する照明負荷の調光用電子安定器をその調光レベルに制御する調光機能等を有する。
【特許文献１】特許第３２３４０５９４号公報
【発明の開示】
【発明が解決しようとする課題】
【０００４】
しかしながら、このような従来の照明制御システムでは、調光制御対象の全ての調光用電子安定器として、端末器を調光用電子安定器に一体に組み付けたことによりコスト高になっている端末機能付き調光用電子安定器を使用しているので、コストアップを招くという課題がある。
【０００５】
本発明はこのような事情を考慮してなされたもので、コスト高となる端末機能付き調光用電子安定器の台数を減少させることができる照明制御システムを提供することを目的とする。
【課題を解決するための手段】
【０００６】
請求項１に係る発明は、制御対象である調光可能の調光用電子安定器を特定するアドレス情報およびその制御すべき調光レベルを示す調光情報を含む制御信号を送信する中央制御装置と、この中央制御装置から受信した制御信号のアドレス情報が自己のアドレスと一致したときに、自己の調光用電子安定器を前記調光レベルに制御すると共に、自己に調光信号線を介して接続された調光用電子安定器に前記調光レベルに対応する調光信号を送信する端末機能付き調光用電子安定器と、この端末機能付き調光用電子安定器から送信される調光信号を受信して照明負荷を調光する調光用電子安定器と、を具備していることを特徴とする照明制御システムである。
【０００７】
請求項２に係る発明は、前記端末機能付き調光用電子安定器は、自己と他の少なくとも２つの調光用電子安定器のアドレスをそれぞれ記憶しており、前記中央制御装置から受信した制御信号のアドレス情報が自己または他の少なくとも一方の調光用電子安定器のアドレスと一致したときに、その一致したアドレスの調光用電子安定器に各調光レベルに対応する調光信号を与えて調光する手段、を具備していることを特徴とする請求項１記載の照明制御システムである。
【０００８】
請求項３に係る発明は、調光可能のインバータ部と、制御信号を受信し、この制御信号のアドレス情報と一致するアドレスを有する自己の電子安定器を前記調光レベルに制御する一方、前記インバータ部を前記調光レベルに制御する調光信号を送信する制御部と、この調光信号を他の調光用電子安定器に送信する調光信号送信端部と、を具備し、前記インバータ部、制御部および調光信号送信端部を同一筐体内に配設していることを特徴とする端末機能付き調光用電子安定器である。
【発明の効果】
【０００９】
請求項１に係る発明によれば、端末機能付き調光用電子安定器により、それ自体の調光用電子安定器と、これと同一のアドレスを有し、調光信号線を介して接続された調光用電子安定器とを、同一の調光レベルでそれぞれ調光制御することができる。すなわち、同一のアドレスを有する複数の調光制御対象である調光用電子安定器のうち、１台のみに端末機能付き調光用電子安定器を使用すれば、他の調光用電子安定器は端末機能を有しない安価な単なる調光用電子安定器を使用することができる。このために、コストを低減することができる。
【００１０】
請求項２に係る発明によれば、１台の端末機能付き調光用電子安定器は、自己と他の複数の調光用電子安定器のアドレスを記憶しており、これら複数の調光用電子安定器を、複数の調光レベルでそれぞれ調光制御することができる。
【００１１】
したがって、アドレスが異なる複数の調光用電子安定器を、１台の端末機能付き調光用電子安定器により、複数の調光レベルでそれぞれ調光制御することができる。このために、コスト高を招く端末機能付き調光用電子安定器の台数を減らすことができるので、コスト低減を図ることができる。
【００１２】
請求項３に係る発明によれば、端末機能付き調光用電子安定器の調光信号送信端部に、調光信号線を介して他の単なる調光用電子安定器を接続することにより、この調光用電子安定器を端末機能付き調光用電子安定器と共に、または別にそれぞれ調光制御することができる。
【発明を実施するための最良の形態】
【００１３】
以下、本発明の実施形態を複数の添付図面に基づいて説明する。なお、これらの添付図面中、同一または相当部分には同一符号を付している。
【００１４】
図１は本発明の第１の実施形態に係る照明制御システム１の構成を示すブロック図、図２は図１で示す端末機能付き調光用電子安定器の構成を示すブロック図である。
【００１５】
図１に示すように照明制御システム１は、主操作盤等の中央制御装置２に、２線（図１では図示の都合上、１線で図示）一対の伝送信号線３を介して複数の端末機能付き調光用電子安定器４ａ，４ｂ，…，４ｎと壁スイッチ５ａ，５ｂ，…，５ｎを接続している。各端末機能付き調光用電子安定器４ａ〜４ｎは、調光用電子安定器６ａ，６ｂ，…，６ｎと、これらにより調光可能に点灯される照明負荷７ａ，７ｂ，…，７ｎとを具備している。
【００１６】
各端末機能付き調光用電子安定器４ａ〜４ｎは、各々の調光信号線８ａ，８ｂ，…，８ｎを介して調光信号により調光可能の単数または複数の調光用電子安定器９ａ，１０ａ，９ｂ，１０ｂ，…，９ｎ，１０ｎを他の調光用電子安定器として接続している。これら調光用電子安定器９ａ，１０ａ，９ｂ，１０ｂ，…，９ｎ，１０ｎには単数または複数の照明負荷１１ａ，１２ａ，１１ｂ，１２ｂ，…，１１ｎ，１２ｎがそれぞれ接続されている。これら端末機能付き調光用電子安定器４ａ〜４ｎと各調光用電子安定器９ａ〜９ｎ，１０ａ〜１０ｎには、ＡＣ電源が供給されている。
【００１７】
中央制御装置２は、上記端末機能付き調光用電子安定器４ａ〜４ｎや他の調光用電子安定器９ａ〜９ｎ，１０ａ〜１０ｎを所要の調光レベルに調光制御するための調光情報を、その調光制御対象の端末機能付き調光用電子安定器４ａ〜４ｎと他の調光用電子安定器９ａ〜９ｎ，１０ａ〜１０ｎの取付位置等を特定するためのアドレスを示すアドレス情報等と共に、制御信号として伝送信号線３に送信する送信手段を有する。
【００１８】
中央制御装置２から各端末機能付き調光用電子安定器４ａ〜４ｎや調光用電子安定器９ａ〜９ｎ，１０ａ〜１０ｎに伝送される制御信号は電圧モードで伝送され、これら調光用電子安定器４ａ〜４ｎ，９ａ〜９ｎ，１０ａ〜１０ｎや壁スイッチ５ａから中央制御装置２へ伝送される信号は電流モードで伝送される。
【００１９】
例えば各壁スイッチ５ａ〜５ｎで操作された操作状態を示す操作信号は、一旦、中央制御装置２に電流モードで伝送され、ここで操作対象の制御すべき調光用電子安定器４ａ〜４ｎ，９ａ〜９ｎ，１０ａ〜１０ｎのアドレスと調光レベルが解読され、これらアドレス情報と調光情報とを含む制御信号として電圧モードで伝送信号線３に伝送される。
【００２０】
各端末機能付き調光用電子安定器４ａ〜４ｎは、調光信号により調光可能の調光用電子安定器６ａに、例えばＬＳＩ（大規模集積回路）等からなる端末部１３ａ，１３ｂ，…，１３ｎを一体に形成したものである。
【００２１】
図２はこの端末機能付き調光用電子安定器４ａ〜４ｎの構成を示しており、図２中、Ｐ１，Ｐ２はＡＣ電源が供給される電源端子である。この電源端子Ｐ１，Ｐ２は電源整流平滑回路１４に接続され、ここでＡＣ電源が整流平滑されて直流（ＤＣ）電圧に変換される。
【００２２】
この電源整流平滑回路１４の出力側はインバータ部１５に接続される。このインバータ部１５では、その入力側のＤＣ電圧がインバータ制御部１６からのインバータ制御信号により制御されて、所定周波数のＡＣ電圧に変換されて照明負荷７ａ〜７ｎに出力される。
【００２３】
そして、端末機能付き調光用電子安定器４ａ〜４ｎは、伝送信号線３に接続される伝送端子Ｐ３，Ｐ４に、フォトカプラ等の絶縁部１７を介して制御部１８を接続している。このために、絶縁部１７により制御部１８を伝送信号線３から電気的に絶縁することができる。
【００２４】
制御部１８は、伝送信号線３を介して中央制御装置２との信号の送受信を制御する送受信制御手段と、図示しないアドレススイッチ等により設定され、かつ記憶部１９に記憶された自己の調光用電子安定器６ａ〜６ｎのアドレスと、中央制御装置２からの調光制御対象の調光用電子安定器のアドレスとの同一性を判別するアドレス判別手段と、を具備している。
【００２５】
すなわち、制御部１８は、アドレススイッチ等により設定された自己端末部のアドレスを読み込み、例えば中央制御装置２からの制御信号を受信制御する場合に、中央制御装置２から指定されるアドレスがその設定アドレスと一致しているか否かをチェックし、アドレスが一致していると判断したときに、中央制御装置２からの制御信号の受信を制御し、中央制御装置２への信号を送信する場合には、中央制御装置２へ自己の端末部１３のアドレスを付加した信号を送信する。
【００２６】
さらに、制御部１８は、中央制御装置２から送信される制御信号から例えば調光データを読み込み、この調光データで指定された調光レベルに対応した調光信号をインバータ制御部１６とＰＷＭ信号送信部２０とに与える。この調光信号は調光レベルに対応したオンデューティ比のパルス幅に変調されたＰＷＭ信号である。
【００２７】
インバータ制御部１６は、この調光信号に対応した周波数信号を作成し、インバータ部１５に出力する。また、ＰＷＭ信号送信部２０は、ＰＷＭ信号を、ＰＷＭ信号送信端子Ｐ５，Ｐ６に接続された調光信号線８ａ〜８ｎを介して他の調光用電子安定器９ａ〜９ｎ，１０ａ〜１０ｎに送信する。
【００２８】
したがって、調光制御対象の端末機能付き調光用電子安定器４ａ〜４ｎのアドレスを指定するアドレス情報と、その調光レベルを指定する調光情報を含む制御信号が中央制御装置２から伝送信号線３を介して各端末機能付き調光用電子安定器４ａ〜４ｎに送信されると、この制御信号が各端末機能付き調光用電子安定器４ａ〜４ｎの各制御部１８により受信される。
【００２９】
各制御部１８は、この受信した制御信号からアドレスと調光レベルとをそれぞれ読み出す一方、各記憶部１９から自己のアドレスをそれぞれ読み込み、これらアドレス同士をそれぞれ比較する。これら端末機能付き調光用電子安定器４ａ〜４ｎのうち、制御信号のアドレスと自己のアドレスが一致すると判断した端末機能付き調光用電子安定器、例えば４ａの制御部１８は、制御信号から調光レベルを読み出し、この調光レベルに対応したＰＷＭ信号により自己の調光用電子安定器６ａを制御すると共に、このＰＷＭ信号をＰＷＭ信号送信部２０により調光信号線８ａを介して他の調光用電子安定器９ａ，１０ａに与えて調光制御する。
【００３０】
したがって、１台の端末機能付き調光用電子安定器４ａ〜４ｎにより、そのアドレスと同一の他の複数の調光用電子安定器９ａ〜９ｎ，１０ａ〜１０ｎを制御信号により指定された調光レベルに調光制御することができる。すなわち、照明負荷７ａ〜７ｎ，１１ａ〜１１ｎ，１２ａ〜１２ｎを制御信号で指定された調光レベルに調光することができる。
【００３１】
したがって、この照明制御システム１によれば、照明負荷７ａ〜７ｎ，１１ａ〜１１ｎ，１２ａ〜１２ｎの複数系統ａ〜ｎの各系に、少なくとも１台の端末機能付き調光用電子安定器４ａ〜４ｎをそれぞれ配設すればよいので、コスト低減を図ることができる。また、端末機能付き調光用電子安定器４ａ〜４ｎの調光用電子安定器６ａ〜６ｎ，９ａ〜９ｎ，１０ａ〜１０ｎとしては市販普及型の調光用電子安定器を使用することができるので、さらにコスト低減を図ることができる。
【００３２】
なお、この実施形態では、各端末機能付き調光用電子安定器４ａ〜４ｎのアドレスと、これらに調光信号線８ａ〜８ｎを介して接続された他の調光用電子安定器９ａ〜９ｎ，１０ａ〜１０ｎのアドレスと、を同一に設定する場合について説明したが、本発明はこれに限定されるものではなく、例えば各端末機能付き調光用電子安定器４ａ〜４ｎのアドレスと、これらに各調光信号線８ａ〜８ｎを介してそれぞれ接続される他の調光用電子安定器９ａ〜９ｎ，１０ａ〜１０ｎのアドレスと、を互いに相違させて各端末機能付き調光用電子安定器４ａ〜４ｎに複数のアドレスをそれぞれ設定してもよい。
【００３３】
図３はこのように複数のアドレスを記憶する第２記憶部１９ｘと第２制御部１８ｘを具備した端末機能付き調光用電子安定器４ａ〜４ｎの構成を示す。
【００３４】
すなわち、第２記憶部１９ｘは、各端末機能付き調光用電子安定器４ａ〜４ｎのアドレスと、これらのアドレスとそれぞれ相違する他の調光用電子安定器９ａ〜９ｎ，１０ａ〜１０ｎの当該アドレスと、の複数のアドレスを記憶している。
【００３５】
また、第２制御部１８ｘは、中央制御装置２からの制御信号を受信したときに、その受信した制御信号の中から複数のアドレスと、そのアドレスにそれぞれ対応する複数の調光レベル（情報）とをそれぞれ読み出す一方、第２記憶部１９ｘから複数のアドレスをそれぞれ読み出す。そして、第２制御部１８ｘは、受信した制御信号のアドレスと複数の設定アドレスとをそれぞれ比較し、一致したアドレスが単数または複数あると判断したときに、これら一致したアドレスの端末機能付き調光用電子安定器４ａ〜４ｎまたは他の調光用電子安定器９ａ〜９ｎ，１０ａ〜１０ｎを指定された調光レベルにそれぞれ調光制御する。
【００３６】
したがって、この第２実施形態によれば、１台の端末機能付き調光用電子安定器４ａ〜４ｎにより複数の調光用電子安定器６ａ〜６ｎ，９ａ〜９ｎ，１０ａ〜１０ｎのアドレスを記憶し、複数のアドレスの調光用電子安定器６ａ〜６ｎ，９ａ〜９ｎ，１０ａ〜１０ｎ毎に複数の調光レベルにより、それぞれ個別に調光することができる。すなわち、調光用電子安定器６ａ〜６ｎ，９ａ〜９ｎ，１０ａ〜１０ｎがａ（４ａ）系やｂ（４ｂ）系等同一系統であっても、端末機能付き調光用電子安定器４ａ〜４ｎと、他の調光用電子安定器９ａ〜９ｎ，１０ａ〜１０ｎとの調光レベル、あるいは他の調光用電子安定器９ａ〜９ｎ，１０ａ〜１０ｎとの調光レベルをそれぞれ相違させることができる。
【００３７】
なお、上記実施形態では、調光信号としてＰＷＭ信号を使用する場合について説明したが、本発明はこれに限定されるものではなく、例えば階段状に調光する段調光信号を使用してもよい。
【図面の簡単な説明】
【００３８】
【図１】本発明の第１実施形態に係る照明制御システムの構成を示すブロック図。
【図２】図１で示す端末機能付き調光用電子安定器の構成を示すブロック図。
【図３】本発明の第２実施形態に係る端末機能付き調光用電子安定器の構成を示すブロック図。
【符号の説明】
【００３９】
１…照明制御システム、２…中央制御装置、３…伝送信号線、４ａ〜４ｎ…端末機能付き調光用電子安定器、６ａ〜６ｎ，９ａ〜９ｎ，１０ａ〜１０ｎ…調光用電子安定器、７ａ〜７ｎ，１１ａ〜１１ｎ，１２ａ〜１２ｎ…照明負荷。
【図１】
2006269080.tif 000003
【図２】
2006269080.tif 000004
【図３】
2006269080.tif 000005